(57)【要約】      （修正有）【課題】ゲートブレークによる電気性能の損失を改善でき、また、微細ゲート線をもっと細く設計することができる、構造が簡単で、実現が容易な結晶シリコン太陽電池を提供する。【解決手段】シリコンチップ本体１を含み、シリコンチップ本体１の表面上に複数の主ゲート線２が縦方向に形成され、横方向に複数の微細ゲート線３が主ゲート線２と電気的に接続するように形成され、さらに、複数の第二ゲート線４が微細ゲート線３の間を電気的に接続するように設けられる。【選択図】図１
2014120761.tif 000002
【特許請求の範囲】
【請求項１】
シリコンチップ本体を含み、前記シリコンチップ本体において縦方向で主ゲート線が分布して、横方向で複数の微細ゲート線が主ゲート線に連結されて分布していると共に、第二ゲート線が微細ゲート線の間に微細ゲート線を連結して設けられることを特徴とする電極ゲート線の断線によるダークエリアの発生を防止した結晶シリコン太陽電池。
【請求項２】
前記の微細ゲート線は、主ゲート線の間に等間隔で分布することを特徴とする請求項１記載の、電極ゲート線の断線によるダークエリアの発生を防止した結晶シリコン太陽電池。
【請求項３】
前記の第二ゲート線は、微細ゲート線の間に等間隔で分布することを特徴とする請求項１記載の、電極ゲート線の断線によるダークエリアの発生を防止した結晶シリコン太陽電池。
【請求項４】
前記の第二ゲート線は、全体として縦方向に間隔をとって縦型に配置されるものであって、線状の形に微細ゲート線の間に縦方向に配置されて分布することを特徴とする請求項１記載の、電極ゲート線の断線によるダークエリアの発生を防止した結晶シリコン太陽電池。
【発明の詳細な説明】
【技術分野】
【０００１】
本発明は電池に関し、特に電極ゲート線の断線によるダークエリアの発生を防止した結晶シリコン太陽電池に関する。
【背景技術】
【０００２】
従来の太陽電池業界から見て、結晶シリコン太陽電池において電極ゲート線が重要な役割を果たしている。これは、光生成キャリアの収集に作用している。但し、従来の太陽電池の電極デザインは、ゲート線印刷に断線部分があって連続していない場合、ゲートブレークが原因で主ゲートから離れてしまった一部のエリア部分からの電流を収集しにくい。このため、ゲート線伝送抵抗も大きくなり、ELテスト画像にダークエリアが生じる。従って、従来の太陽電池の電極デザインが微細かつ密な方向に発展するとき、ゲート線のデザインが細くなればなるほど、その印刷時にゲートブレークの確率が大きくなる。そして、生産した結晶シリコン太陽電池の失効領域も大きくなり、その使用と促進に不利である。
【先行技術文献】
【特許文献】
【０００３】
【特許文献１】特開２００８−１３５６５５号公報
【発明の概要】
【０００４】
本発明は、従来の技術に存在する上記の問題を解決するため、電極ゲート線の断線によるダークエリアの発生を防止した結晶シリコン太陽電池を提供する。
本発明の目的は、以下の技術方案により実現する。
シリコンチップを含み、上記シリコンチップ本体に主ゲート線を垂直分布し、微細ゲート線を横方向に分布し、微細ゲート線の間に第二ゲート線を配置した、電極ゲート線の断線によるダークエリアの発生を防止した結晶シリコン太陽電池。
【０００５】
さらに、上記の電極ゲート線の断線によるダークエリアの発生を防止した結晶シリコン太陽電池において、上記主ゲート線は等距離で分布される。
さらに、上記の電極ゲート線の断線によるダークエリアの発生を防止した結晶シリコン太陽電池において、上記微細ゲート線は等距離で分布される。
さらに、上記の電極ゲート線の断線によるダークエリアの発生を防止した結晶シリコン太陽電池において、上記第二ゲート線は、線型縦方向に微細ゲート線の間に分布される。
【発明が解決しようとする課題】
【０００６】
本発明はゲートブレークによる電気性能の損失を改善でき、また、微細ゲート線をもっと細く設計することができる、構造が簡単で、実現が容易な結晶シリコン太陽電池の提供を課題とする。
【課題を解決するための手段】
【０００７】
シリコンチップ本体に主ゲート線を縦方向に分布させ、横方向に微細ゲート線を分布させる。そして、第二ゲート線を微細ゲート線の間に設け、電極ゲート線の断線によるダークエリアの発生を防止した結晶シリコン太陽電池とする。
【発明の効果】
【０００８】
本発明の技術方案の効果は、ゲートブレークが原因の電気性能損失を改善できる。同時に、製造および使用期間中にゲートブレークダークエリアの生じることを効果的に避けることができる。そして、第二ゲート線が存在するため、微細ゲート線をもっと細く設計でき、印刷消費電力を下げ、電気性能を向上できる。なお、本発明は構造が簡単であり、実現しやすいなどの特徴があるため、本分野に広める価値がある。
【図面の簡単な説明】
【０００９】
【図１】電極ゲート線の断線によるダークエリアの発生を防止した結晶シリコン太陽電池の全体構成を表す平面図（実施例１）である。
【図２】電極ゲート線の断線によるダークエリアの発生を防止した結晶シリコン太陽電池の全体構成を表す平面図（実施例２）である。
【図３】電極ゲート線の断線によるダークエリアの発生を防止した結晶シリコン太陽電池の全体構成を表す平面図（実施例３）である。
【発明を実施するための形態】
【００１０】
図１に示す、電極ゲート線の断線によるダークエリアの発生を防止した結晶シリコン太陽電池は、シリコンチップ本体１を含み、シリコンチップ本体１の縦方向に主ゲート線２を含むことを特徴とする。同時に太陽電池の作業需要を考え、シリコンチップ本体１の横方向に微細ゲート線３を設置する。また、ゲートブレークにより電流の送り出しに障害が発生する現象を防止するため、微細ゲート線３の間に第二ゲート線４を設置する。
【００１１】
本発明の好ましい実施形態においては、電池全体の作業効率を安定するため、主ゲート線２を平行に設置し、また、微細ゲート線３の間も等間隔に設置する。
さらに、全体設置の一致性を考え、加工製造の便利性を図って、第二ゲート線４は全体として縦方向に間隔をとって縦型に配置されるものであって、線状の形に微細ゲート線の間に縦方向に配置されて分布する配置で微細ゲート線３の間に設置される。
【００１２】
本発明の実際の使用状況においては、第二ゲート線４が存在するため、一段落の第二ゲート線４は２本の微細ゲート線３と連結できる。また、３本あるいは更に多い微細ゲート線３と連結するように設計することも可能である。こうすると、隣接する微細ゲート線３の間の連結を増加することができる。製造と使用期間中に電極ゲート線が不適切に切断されても、第二ゲート線４を通じて有効に連結を実行することができ、電流は隣接する第二ゲート線４を通じて、短経路で主ゲート線に転送することができる。
【００１３】
さらに、特別な応用においても、一行あるいは多行にわたる第二ゲート線４を増加することが可能であり、微細ゲート線３をそれぞれ連結し、最大の範囲で失効区域を改善することができる。同時に、一定の程度に不必要な第二ゲート線４の増加を避けることができ、材料の消耗を軽減できる。
【００１４】
図１に示す主ゲート線は２本であるが、主ゲート線の本数は、実際の需要と電池モジュールの大きさにより任意に決められ、図２に示す３本と図３に示す４本、あるいは四方連続的な形でも拡大できる。
【００１５】
前記の実施の形態によると、本発明はゲートブレークによる電気性能の損失を改善することができる。同時に、製造と使用期間中には、有効的にゲートブレークを避け、最大の範囲でダークエリアを解消することができる。さらに、第二ゲート線を有するため、微細ゲート線はもっと細く設計することができて印刷消費電力を下げ、電気性能を高めることができる。また、本発明の構造は簡単であり、実現が容易のため、本分野で広める価値がある。
【００１６】
以上に説明した実施の形態は本発明技術を応用する典型例であり、本発明の技術的思想を変更しない範囲で形成される技術方案は、すべて本発明権利範囲である。また、実施の形態の説明は本発明の内容を限定するものではない。
【符号の説明】
【００１７】
１.シリコンチップ本体        ２.主ゲート線
３.微細ゲート線              ４.第二ゲート線
【図１】
2014120761.tif 000003
【図２】
2014120761.tif 000004
【図３】
2014120761.tif 000005